(57)【要約】【課題】加湿フィルタ表面に水の溶解成分の結晶が析出せず、加湿能力が低下しないので、加湿フィルタの頻繁な交換をする必要がない加湿機の提供。【解決手段】上から下へ順に配設された加湿フィルタ１２、受水トレイ１１、回収水経路１９及び貯水タンク２と、貯水タンク２から加湿フィルタ１２の上方迄布設された給水経路９，１０と、給水経路９，１０に設けられたポンプ８とをハウジング１内に備え、貯水タンク２から給水経路９，１０及びポンプ８で汲み上げた水を給水経路１０の口から加湿フィルタ１２へ落下させ、加湿フィルタ１２を通過する空気を加湿する一方、加湿フィルタ１２から落下し受水トレイ１１で受けた水を回収水経路１９で貯水タンクに回収する加湿機。ハウジング１は、側壁に設けられ貯水タンク２を差し込む為の開口部と、開口部から差し込まれた貯水タンク２を所定位置に位置決めして収容する収容室２５とを備える。【選択図】図３
2010019445.tif 000002
【特許請求の範囲】
【請求項１】
上から下へ順に配設された加湿フィルタ、受水トレイ、回収水経路及び貯水タンクと、該貯水タンクから前記加湿フィルタの上方迄布設された給水経路と、該給水経路に設けられたポンプとをハウジング内に備え、前記貯水タンクから給水経路及びポンプで水を汲み上げ、汲み上げた水を前記給水経路の１又は複数の口から前記加湿フィルタへ落下させ、加湿フィルタを通過する空気を加湿する一方、該加湿フィルタから落下し前記受水トレイで受けた水を前記回収水経路で前記貯水タンクに回収する加湿機であって、
前記ハウジングは、側壁に設けられ、前記貯水タンクを差し込む為の開口部と、該開口部から差し込まれた貯水タンクを所定位置に位置決めして収容する収容室とを備えることを特徴とする加湿機。
【請求項２】
前記ハウジングの底部に前記収容室が設けられており、複数の車輪を有し、前記貯水タンクを載置する台車と、前記収容室の床に設けられ、前記台車を案内する案内部とを更に備え、前記貯水タンクを載置した前記台車が前記案内部で案内されることにより、前記貯水タンクを前記所定位置に位置決めするように構成してある請求項１記載の加湿機。
【請求項３】
前記ハウジングの底部に前記収容室が設けられており、前記貯水タンクの底部に配設された複数の車輪と、前記収容室の床に設けられ、前記貯水タンクを案内する案内部とを更に備え、該貯水タンクが該案内部で案内されることにより、該貯水タンクを前記所定位置に位置決めするように構成してある請求項１記載の加湿機。
【請求項４】
前記ハウジングの底部に前記収容室が設けられており、前記貯水タンクを載置し保持する保持ケースと、前記収容室の床に回動自在に固定された複数のコロと、前記保持ケースの外底に設けられ、前記貯水タンクを案内する案内部とを更に備え、前記貯水タンクを載置した前記保持ケースが前記案内部で案内されることにより、前記貯水タンクを前記所定位置に位置決めするように構成してある請求項１記載の加湿機。
【請求項５】
前記貯水タンクは、前記給水経路に接続する為の給水管と、前記回収水経路に接続する為の回収水管とが突設され、前記給水経路は、給水管と接続する為の給水連結部を備え、前記回収水経路は、回収水管と接続する為の回収水連結部を備えている請求項１から４の何れか１項に記載の加湿機。
【請求項６】
前記給水連結部は、前記貯水タンクの着脱時の前記給水管の作用により開閉する給水経路開閉手段を備え、前記回収水連結部は、前記貯水タンクの着脱時の前記回収水管の作用により開閉する回収水経路開閉手段を備える請求項５記載の加湿機。
【請求項７】
前記給水経路開閉手段及び回収水経路開閉手段は、前記給水連結部及び回収水連結部の内部それぞれに、弁座と、該弁座それぞれへの付勢により該弁座に着座する弁体とをそれぞれ備え、前記貯水タンクを前記所定位置に位置決めすることで、前記給水連結部及び回収水連結部に挿入される前記給水管及び回収水管の端部で、前記弁体を前記付勢に抗してそれぞれ押圧して、前記弁座から離座させるように構成してある請求項６記載の加湿機。
【請求項８】
前記受水トレイ以上の容量を有し、該受水トレイからの流出水を受ける調整槽と、該受水トレイ内に開口し、該受水トレイの上端部から溢れようとする水を前記調整層へ流出させるオーバフロー管とを更に備える請求項１から７の何れか１項に記載の加湿機。
【発明の詳細な説明】
【技術分野】
【０００１】
本発明は、貯水タンクの水を給水経路により加湿フィルタの上方から落下させ、加湿フィルタを通過する空気を加湿し、加湿フィルタから落下し受水トレイで受けた水を回収水経路により貯水タンクに回収する加湿機に関するものである。
【背景技術】
【０００２】
従来の気化式の加湿機は、給水タンクから給水された水を吸水性のある加湿フィルタに含浸させ、含浸させた水を加湿フィルタを通過する空気中に気化させることにより、湿度を上昇させるように構成されている。水を加湿フィルタに含浸させるには、給水タンク内、又は給水タンクから給水されたトレイ内の水に加湿フィルタの下端を浸して、毛細管現象により加湿フィルタに吸上げさせる方法が一般的である。また、トレイ内の水をポンプで汲み上げて加湿フィルタに掛ける方法もある。
【０００３】
特許文献１には、水タンクから加湿トレイに給水し、加湿トレイからポンプによって汲み上げた水を加湿フィルタに供給し、加湿フィルタに供給された水を気化させて加湿する加湿装置が開示されている。この加湿装置では、加湿運転中にポンプを間欠的に駆動することにより、加湿フィルタに付着した過剰な水が流下又は気化することで減少し、これにより、加湿フィルタの表面積が増大し、水の気化量を増加させる。
【０００４】
特許文献２には、貯水タンクの水を気化させて加湿する加湿フィルタをジグザグ形状に形成し、この加湿フィルタを装着する枠体に加湿フィルタの折曲部を保持する保持爪を水平方向に複数個設け、加湿フィルタのジグザグ形状を略等分に保持させて気化量を安定化させる加湿装置が開示されている。
【特許文献１】特開２００８−３２３１４号公報
【特許文献２】特開２００３−１０６５７８号公報
【発明の開示】
【発明が解決しようとする課題】
【０００５】
上述したような給水タンク内又はトレイ内の水に加湿フィルタの下端を浸す方法では、水に微量に溶解しているカルシウム及びマグネシウム等の溶解成分が、加湿フィルタ内で水が気化する一方で残留して高濃度となって行き、ついには炭酸カルシウム及び炭酸マグネシウム等の結晶となって加湿フィルタ表面に析出する。加湿フィルタ表面に結晶が析出すると、水の気化が妨げられ、加湿能力が低下するので、加湿フィルタを交換しなければならないという問題がある。トレイ内の水を汲み上げて加湿フィルタに掛ける方法においても、トレイ内の水は、循環されず気化するのみであるので、溶解成分濃度が高くなって行き、加湿フィルタ表面に析出し易くなって行くので、同様の問題がある。
【０００６】
本発明は、上述したような事情に鑑みてなされたものであり、加湿フィルタ表面に水の溶解成分の結晶が析出せず、加湿能力が低下しないので、加湿フィルタを交換する必要がない加湿機を提供することを目的とする。
【課題を解決するための手段】
【０００７】
本発明に係る加湿機は、上から下へ順に配設された加湿フィルタ、受水トレイ、回収水経路及び貯水タンクと、該貯水タンクから前記加湿フィルタの上方迄布設された給水経路と、該給水経路に設けられたポンプとをハウジング内に備え、前記貯水タンクから給水経路及びポンプで水を汲み上げ、汲み上げた水を前記給水経路の１又は複数の口から前記加湿フィルタへ落下させ、加湿フィルタを通過する空気を加湿する一方、該加湿フィルタから落下し前記受水トレイで受けた水を前記回収水経路で前記貯水タンクに回収する加湿機であって、前記ハウジングは、側壁に設けられ、前記貯水タンクを差し込む為の開口部と、該開口部から差し込まれた貯水タンクを所定位置に位置決めして収容する収容室とを備えることを特徴とする。
【０００８】
この加湿機では、ハウジング内で、加湿フィルタ、受水トレイ、回収水経路及び貯水タンクが、上から下へ順に配設され、給水経路が、貯水タンクから加湿フィルタの上方迄布設され、ポンプが、給水経路に設けられている。貯水タンクから給水経路及びポンプで水を汲み上げ、汲み上げた水を給水経路の１又は複数の口から加湿フィルタへ落下させ、加湿フィルタを通過する空気を加湿する一方、加湿フィルタから落下し受水トレイで受けた水を回収水経路で貯水タンクに回収する。貯水タンクを差し込む為の開口部が、ハウジングの側壁に設けられ、収容室が、開口部から差し込まれた貯水タンクを所定位置に位置決めして収容する。
【０００９】
本発明に係る加湿機は、前記ハウジングの底部に前記収容室が設けられており、複数の車輪を有し、前記貯水タンクを載置する台車と、前記収容室の床に設けられ、前記台車を案内する案内部とを更に備え、前記貯水タンクを載置した前記台車が前記案内部で案内されることにより、前記貯水タンクを前記所定位置に位置決めするように構成してあることを特徴とする。
【００１０】
この加湿機では、ハウジングの底部に貯水タンクの収容室が設けられており、複数の車輪を有する台車が、貯水タンクを載置し、収容室の床に設けられた案内部が、台車を案内する。貯水タンクを載置した台車が案内部で案内されることにより、貯水タンクを所定位置に位置決めする。
【００１１】
本発明に係る加湿機は、前記ハウジングの底部に前記収容室が設けられており、前記貯水タンクの底部に配設された複数の車輪と、前記収容室の床に設けられ、前記貯水タンクを案内する案内部とを更に備え、該貯水タンクが該案内部で案内されることにより、該貯水タンクを前記所定位置に位置決めするように構成してあることを特徴とする。
【００１２】
この加湿機では、ハウジングの底部に貯水タンクの収容室が設けられており、複数の車輪が貯水タンクの底部に配設され、収容室の床に設けられた案内部が、貯水タンクを案内する。貯水タンクは、案内部で案内されることにより、所定位置に位置決めされる。
【００１３】
本発明に係る加湿機は、前記案内部は、前記車輪を案内する１又は複数の案内溝を備え、前記車輪が該案内溝で案内されるように構成してあることを特徴とする。
【００１４】
本発明に係る加湿機は、前記ハウジングの底部に前記収容室が設けられており、前記貯水タンクを載置し保持する保持ケースと、前記収容室の床に回動自在に固定された複数のコロと、前記保持ケースの外底に設けられ、前記貯水タンクを案内する案内部とを更に備え、前記貯水タンクを載置した前記保持ケースが前記案内部で案内されることにより、前記貯水タンクを前記所定位置に位置決めするように構成してあることを特徴とする。
【００１５】
この加湿機では、ハウジングの底部に収容室が設けられており、保持ケースが、貯水タンクを載置して保持し、複数のコロが、収容室の床に回動自在に固定され、保持ケースの外底に設けられた案内部が、貯水タンクを案内する。貯水タンクを載置した保持ケースが案内部で案内されることにより、貯水タンクを所定位置に位置決めする。
【００１６】
本発明に係る加湿機は、前記案内部は、前記保持ケースが前記収容室に差し込まれたときに、前記コロが遊嵌され回動する１又は複数の溝を備え、該溝内で前記コロが回動することにより、前記保持ケースが案内されるように構成してあることを特徴とする。
【００１７】
この加湿機では、案内部は、保持ケースが収容室に差し込まれたときに、１又は複数の溝にコロが遊嵌されて回動し、溝内でコロが回動することにより、保持ケースが案内される。
【００１８】
本発明に係る加湿機は、前記貯水タンクは、前記給水経路に接続する為の給水管と、前記回収水経路に接続する為の回収水管とが突設され、前記給水経路は、給水管と接続する為の給水連結部を備え、前記回収水経路は、回収水管と接続する為の回収水連結部を備えていることを特徴とする。
【００１９】
この加湿機では、貯水タンクには、給水経路に接続する為の給水管と、回収水経路に接続する為の回収水管とが突設されている。給水経路の給水連結部が給水管と接続し、回収水経路の回収水連結部が回収水管と接続する。
【００２０】
本発明に係る加湿機は、前記給水連結部は、前記貯水タンクの着脱時の前記給水管の作用により開閉する給水経路開閉手段を備え、前記回収水連結部は、前記貯水タンクの着脱時の前記回収水管の作用により開閉する回収水経路開閉手段を備えることを特徴とする。
【００２１】
この加湿機では、給水連結部は、給水経路開閉手段が貯水タンクの着脱時の給水管の作用により開閉し、回収水連結部は、回収水経路開閉手段が貯水タンクの着脱時の回収水管の作用により開閉する。
【００２２】
本発明に係る加湿機は、前記給水経路開閉手段及び回収水経路開閉手段は、前記給水連結部及び回収水連結部の内部それぞれに、弁座と、該弁座それぞれへの付勢により該弁座に着座する弁体とをそれぞれ備え、前記貯水タンクを前記所定位置に位置決めすることで、前記給水連結部及び回収水連結部に挿入される前記給水管及び回収水管の端部で、前記弁体を前記付勢に抗してそれぞれ押圧して、前記弁座から離座させるように構成してあることを特徴とする。
【００２３】
この加湿機では、給水経路開閉手段及び回収水経路開閉手段は、給水連結部及び回収水連結部の内部それぞれに、弁座と、弁座それぞれへの付勢により弁座に着座する弁体とをそれぞれ備えている。貯水タンクを所定位置に位置決めすることで、給水連結部及び回収水連結部に挿入される給水管及び回収水管の端部で、弁体を付勢に抗してそれぞれ押圧して、弁座から離座させる。
【００２４】
本発明に係る加湿機は、前記受水トレイ以上の容量を有し、該受水トレイからの流出水を受ける調整槽と、該受水トレイ内に開口し、該受水トレイの上端部から溢れようとする水を前記調整層へ流出させるオーバフロー管とを更に備えることを特徴とする。
【００２５】
この加湿機では、受水トレイ以上の容量を有する調整槽が、受水トレイからの流出水を受け、受水トレイ内に開口したオーバフロー管が、受水トレイの上端部から溢れようとする水を調整層へ流出させる。
【発明の効果】
【００２６】
本発明に係る加湿機によれば、加湿フィルタ表面に水の溶解成分の結晶が析出せず、加湿能力が低下しないので、加湿フィルタを頻繁に交換する必要がない加湿機を実現することができる。
【発明を実施するための最良の形態】
【００２７】
以下に、本発明をその実施の形態を示す図面に基づき説明する。
（実施の形態１）
図１は、本発明に係る加湿機の実施の形態１の構成を示す縦断面図である。
この加湿機は、その断面積が下部へ向かって徐々に大きくなる円筒形状のハウジング１内の上端部に排気口１６が設けられ、排気口１６の下方には、縦連結された２つの送風ファン１４，１４が設けられている。２つの送風ファン１４，１４は、送風モータ１３の上下に突出した駆動軸にそれぞれ取り付けられている。
【００２８】
ハウジング１内の送風ファン１４，１４の下方には、上から下へ配置された加湿フィルタ１２、受水トレイ１１、バッファ槽（調整槽、回収水経路）１９及び貯水タンク２と、貯水タンク２の近傍から加湿フィルタ１２の上方迄延設された送水管（給水経路）１０と、送水管１０の下端部に接続されたポンプ８とが設けられている。
加湿フィルタ１２は、送風ファン１４，１４に向けて端部が開口した筒状に形成されている。加湿フィルタ１２を囲むハウジング１の側壁は、吸気口１５に成形されている。
【００２９】
受水トレイ１１は、送水管１０の上端部から加湿フィルタ１２へ注がれ、加湿フィルタ１２を伝って流れ落ちる水を受けて、バッファ槽１９へ流出させる。バッファ槽１９は、受水トレイ１１より容量が大きい。
受水トレイ１１の中央部には、バッファ槽１９への貫通孔が設けられ、この貫通孔には逆止弁２０が取り付けられている。逆止弁２０は、バッファ槽１９が受水トレイ１１の下部に装着された状態で開となり、バッファ槽１９が受水トレイ１１から外された状態で閉となるように構成されている。
受水トレイ１１には、また、その上端部から水が溢れ出ないように、受水トレイ１１内に開口したオーバフロー管２１が設けられており、オーバフロー管２１に流れ込んだ水は、バッファ槽１９へ受け入れられ、受水トレイ１１の水位が調整される。
【００３０】
貯水タンク２は、直方体形状であり、その上部に着脱自在に蓋板２４が取り付けられ、蓋板２４には、給水管３及び回収水管４が貫通して内外に延設されている。
図２は、図１とは反対側から見た縦断面図であり、回収水管４及び給水管３は、互いに平行に蓋板２４内外に延設されている。
【００３１】
貯水タンク２は、ハウジング１内下部に設けられた収容室２５に収容されており、図３に示すように、ハウジング１（収容室２５）の一部側壁を兼ねるタンクケース（台車）７に載置された状態で、収容室２５の側壁に設けられた差込口を経由して出し入れされる。タンクケース７には、収容室２５の一部側壁を兼ねる部分に、把手１８が設けられている。
タンクケース７に載置された状態で、収容室２５から取り出された貯水タンク２は、図４に示すように、タンクケース７から外すことができ、蓋板２４を外すことにより内部の清掃及び水の補給等が行い易くなっている。
【００３２】
タンクケース（台車）７には、その外底部に車輪６が、把手１８に近い側に１つ、把手１８に遠い側に２つ取り付けられている。収容室２５の床には、図５の拡大縦断面図に示すように、把手１８に遠い側の２つの車輪６，６をそれぞれ案内する案内溝（案内部）２２，２２が設けられている。案内溝２２，２２により、２つの車輪６，６をそれぞれ案内されることにより、貯水タンク２は、収容室２５内の所定位置に位置決めされて収容される。
貯水タンク２を車輪６付きのタンクケース（台車）７に載置する構成とすることにより、貯水タンク２の出し入れが容易になる。また、貯水タンク２の容量を大きくすることができる。
【００３３】
尚、本実施の形態１では、貯水タンク２は、タンクケース（台車）７に載置された状態で、収容室２５に収容されるが、タンクケース（台車）７は必ずしも必要ではない。その場合、本実施の形態１と同様に、貯水タンク２の外底部に車輪６を３つ直接取り付けることにより、案内溝２２，２２を利用して、貯水タンク２を収容室２５内の所定位置に位置決めして収容することができる。
【００３４】
給水管３及び回収水管４は、貯水タンク２が収容室２５内の所定位置に位置決めされて収容された状態で、加湿機本体の連結部５に収納された給水連結部５ａ及び回収水連結部５ｂにそれぞれ連結される。給水連結部５ａ及び回収水連結部５ｂは、それぞれ逆止弁（給水経路開閉手段、回収水経路開閉手段）を内蔵しており、各逆止弁は、弁座への付勢により弁座に着座する弁体をそれぞれ備えている。
【００３５】
給水管３及び回収水管４が、給水連結部５ａ及び回収水連結部５ｂにそれぞれ連結されると、給水管３及び回収水管４の各端部が、給水連結部５ａ及び回収水連結部５ｂの各弁体を付勢に抗してそれぞれ押圧して、各弁体を各弁座から離座させた状態となる。これにより、給水連結部５ａ及び回収水連結部５ｂは、それぞれ開状態となる。
一方、給水管３及び回収水管４の各端部が、給水連結部５ａ及び回収水連結部５ｂから外されると、各弁体が各弁座に着座した状態となり、給水連結部５ａ及び回収水連結部５ｂは、それぞれ閉状態となる。
【００３６】
給水管３は、給水連結部５ａを介して、吸上げ管９の一方の端部に接続され、吸上げ管９の他方の端部は、上述したポンプ８の吸込口に接続され、ポンプ８の吐出口は、送水管１０に接続されている。給水連結部５ａ、吸上げ管９及び送水管１０は、給水経路を構成している。
送水管１０は、加湿フィルタ１２の上方に迄延設されており、加湿フィルタ１２上方の送水管１０には、図示しない複数の注水口が設けられている。
バッファ槽１９の最下部と回収水連結部５ｂの入口とは連結されており、回収水連結部５ｂの出口は回収水管４に接続されている。バッファ槽１９及び回収水連結部５ｂは、回収水経路を構成している。
【００３７】
このような構成の加湿機では、ポンプ８で給水管３及び吸上げ管９により、貯水タンク２から吸上げられた水が、送水管１０経由で加湿フィルタ１２の上端部に注がれ、注がれた水は加湿フィルタ１２に含浸される。一方、送風ファン１４，１４により吸気口１５から吸込まれた空気は、加湿フィルタ１２を通過する際に加湿され、送風ファン１４，１４を経て、排気口１６から室内へ送風される。
加湿フィルタ１２に含浸されなかった水は、加湿フィルタ１２に付着するカルシウム及びマグネシウム等の溶解成分を洗い流して、受水トレイ１１で受けられる。受水トレイ１１が受けた水は、バッファ槽１９、回収水連結部５ｂ及び回収水管４経由で、貯水タンク２に回収される。
【００３８】
貯水タンク２に回収されたカルシウム及びマグネシウム等の溶解成分濃度の高い水は、貯水タンク２内で薄められる。これにより、給水管４からの給水の溶解成分濃度が高くなって行くことを抑制することができる。また、貯水タンク２の水位がある程度（例えば半分）低下したところで、水を入替えることにより、加湿フィルタ１２の劣化（塩類の析出）を防止することができる。
【００３９】
（実施の形態２）
図６は、本発明に係る加湿機の実施の形態２の構成を示す縦断面図である。
この加湿機では、貯水タンク２ａは、ハウジング１ａ内下部に設けられた収容室２５ａに収容されており、図７に示すように、ハウジング１ａ（収容室２５ａ）の一部側壁を兼ねるタンクケース（保持ケース）７ａに載置された状態で、収容室２５ａの側壁に設けられた差込口を経由して出し入れされる。タンクケース７ａには、収容室２５ａの一部側壁を兼ねる部分に、把手１８が設けられている。
タンクケース７ａに載置された状態で、収容室２５ａから取り出された貯水タンク２ａは、図８に示すように、タンクケース７ａから外すことができ、蓋板２４を外して内部の清掃及び水の補給等が行い易くなっている。
【００４０】
収容室２５ａの床には、図９の拡大縦断面図に示すように、貯水タンク２ａを載置したタンクケース７ａを移動させ易いように、４つのコロ１７，１７，１７，１７が配設されている。また、タンクケース７ａには、その外底部に、コロ１７，１７，１７，１７を遊嵌させ回動させる為の２つの溝（案内部）２３，２３が凹設されている。
【００４１】
貯水タンク２ａを載置したタンクケース７ａが、収容室２５ａに差し込まれたときに、溝２３，２３にコロ１７，１７，１７，１７が遊嵌され回動することにより、タンクケース７ａが案内され、貯水タンク２ａが、収容室２５ａ内の所定位置に位置決めされて収容される。この加湿機のその他の構成及び動作は、上述した実施の形態１で説明した加湿機の構成及び動作と同様であるので、同一箇所には同一符号を付して説明を省略する。
【００４２】
尚、本実施の形態２では、貯水タンク２ａは、タンクケース７ａに載置された状態で、収容室２５ａに収容されるが、タンクケース７ａは必ずしも必要ではない。その場合、本実施の形態２と同様に、貯水タンク２ａの外底部に２つの溝２３，２３を直接凹設することにより、コロ１７，１７，１７，１７を利用して、貯水タンク２ａを収容室２５ａ内の所定位置に位置決めして収容することができる。
【図面の簡単な説明】
【００４３】
【図１】本発明に係る加湿機の実施の形態の構成を示す縦断面図である。
【図２】図１とは反対側から見た縦断面図である。
【図３】タンクケースに載置された貯水タンク及び収容室の関係を示す説明図である。
【図４】貯水タンク及びタンクケースの関係を示す説明図である。
【図５】収容室の床に設けられた案内溝及びタンクケースの車輪を拡大して示す拡大縦断面図である。
【図６】本発明に係る加湿機の実施の形態の構成を示す縦断面図である。
【図７】タンクケースに載置された貯水タンク及び収容室の関係を示す説明図である。
【図８】貯水タンク及びタンクケースの関係を示す説明図である。
【図９】収容室の床に設けられたコロ、及びタンクケースの底に凹設された溝を拡大して示す拡大縦断面図である。
【符号の説明】
【００４４】
１，１ａ  ハウジング
２，２ａ  貯水タンク
３  給水管
４  回収水管
５  連結部
５ａ  給水連結部（給水経路開閉手段）
５ｂ  回収水連結部（回収水経路開閉手段）
６  車輪
７  タンクケース（台車）
７ａ  タンクケース（保持ケース）
８  ポンプ
９  吸上げ管（給水経路）
１０  送水管（給水経路）
１１  受水トレイ
１２  加湿フィルタ
１４  送風ファン
１５  吸気口
１６  排気口
１７  コロ
１８  把手
１９  バッファ槽（調整槽、回収水経路）
２０  逆止弁
２１  オーバフロー管
２２  案内溝（案内部）
２３  溝（案内部）
２４  蓋板
２５，２５ａ  収容室
【図１】
2010019445.tif 000003
【図２】
2010019445.tif 000004
【図３】
2010019445.tif 000005
【図４】
2010019445.tif 000006
【図５】
2010019445.tif 000007
【図６】
2010019445.tif 000008
【図７】
2010019445.tif 000009
【図８】
2010019445.tif 000010
【図９】
2010019445.tif 000011